(57)【要約】【目的】  使用が安全で優れた色彩感と特異な美感を保持し、而も載置陳列される近傍の空気を浄化することの可能な、浄化機能を有する組立立体造形体を提供する。【構成】  基材が人工ゼオライト紙若しくは該人工ゼオライト紙をライナー材や中しん材に用いた人工ゼオライトダンボールからなり、且該基材に適宜モチーフの造形体が左右対称的展開形状で、而も該左右対称的側縁のそれぞれ対向する位置の一方側縁に係止嵌着片が延出形成され、且他方側縁には係止嵌着溝が形成されるよう打抜加工された造形体本体と、組立形成された造形体の下端が嵌合され固定載置しえるよう、基材に所要の面積及び形状で且造形体下端の形状、長さ及び幅の嵌合固定溝が形成されるよう打抜加工された載置固定板体とからなる構成。【選択図】  図３
2005103217.tif 000002
【特許請求の範囲】
【請求項１】
基材が平均粒径５０μｍ以下で比表面積が８０ｍ２／ｇ以上並びに塩基置換容量（ｍｅｑ／１００ｇ）が２５０ｍｇ以上の人工ゼオライト粉体がパルプ、綿若しくは麻からなる製紙原料に２０乃至７０％重量割合で配合され抄紙された人工ゼオライト紙からなり、該基紙に組立形成される造形体が左右対称的な展開形状で、且該造形体の組立係止を図るために左右対称的側縁のそれぞれ対向する位置の一方側縁には係止嵌着片が延出形成され、而も他方側縁には係止嵌着溝が形成されるよう打抜加工された造形体本体と、組立形成された造形体の下端が嵌合され固定載置されるよう、基材が所要の面積及び形状で且組立形成された造形体下端が嵌合できるよう該造形体下端の形状、長さ及び幅の嵌合固定溝が打抜加工された固定載置板材とからなる、浄化機能を有する組立立体造形体。
【請求項２】
基材が人工ゼオライト紙をライナー材若しくはライナー材及び中しん材に用いた人工ゼオライトダンボールからなる、請求項１記載の浄化機能を有する組立立体造形体。
【請求項３】
基材が適宜色相に着色され、若しくは基材の一側面に適宜の模様若しくは文字が印刷されてなる、請求項１若しくは請求項２記載の浄化機能を有する組立立体造形体。
【発明の詳細な説明】
【発明の詳細な説明】
【産業上の利用分野】
【０００１】  本発明は臭気や揮発性有機化合物等を浄化しえ且使用安全性と廃棄性に優れ、ＰＯＰ広告具や幼児用組立玩具等には極めて好適な浄化機能を有する組立立体造形体に関するものである。
【従来技術】
【０００２】  企業活動においては、その企業の生産財やサービス等をより多く購買してもらうため多様な広告宣伝活動がなされるものであるが、これらの内ＰＯＰ広告は購買者への生産財やサービスの広告活動が至近でなされるため極めて広告効果が高いものと考えられている。
ところで従来におけるＰＯＰ広告のための広告具としては素材的に強靭で安価なうえ加工性に優れることから、ポリ塩化ビニルやポリスチロール樹脂板材等を円筒形若しくは多角筒形に組立てられるよう展開打抜きのうえ組立て、この表面に宣伝用文字を印刷させたものが主として採用されていたが、これら素材は可塑剤や安定剤等の環境汚染物質が混在すること並びに廃棄面にも制約されること等より紙への転換が図れられているが、これらＰＯＰ広告具も単に円筒形や多角筒形に組立てられたうえ文字や模様が平面的に施されたものであるから特段に注目性や装飾性も発揮されず、且該ＰＯＰ広告具が展示される店舗内には多種多量の製品や商品が陳列されてなるため、これら製品や商品からの臭気や揮発性有機化合物等が多量に拡散混在され空気が著しく汚染されてなるため、特に香りやフレーバー等を売りとする製品や商品では十分にその特性が発揮させられぬ問題をも抱えている。
【０００３】  更に幼児用玩具においても創造力を育むうえからは、組合玩具や組立玩具が好ましいとされているが、現状における組合玩具としては厚手の紙を多数の多様形状に切断した切断片を平面的に連結させる所謂ジグソーパズルの如きもの、或いは組立玩具としても合成樹脂素材で成形した連結部材を平面若しくは立体的に連結させる所謂レゴランドの如きものであって、単に組合せや組立のみの遊びのものであるから著しく好き嫌いの選択性が生じる。
そして幼児等は幼児部屋や近年では自動車車内等狭い区画内での生活時間が長く、反面これら区画内には臭気が籠り易く不快な環境におかれるばかりか、家具や内装材はもとより絵本や雑誌或いは玩具自体からも揮発性有機化合物が揮散滲出するため著しく危険な環境とも化しており、体力的に弱い幼児には健康面で大きな問題も潜在している。
【０００４】  発明者はかかる実情に鑑み研究を重ねた結果、素材的に極めて安全性が高く臭気や揮発性有機化合物に対して極めて大きな接触表面積率を有し、且吸着容量所謂比表面積が膨大な人工ゼオライト粉体を用いることにより、臭気や揮発性有機化合物を積極的且効率的に吸着しえ、且その本質的に保持する触媒作用に強い塩基置換性を付与せしむることにより、該吸着された臭気や揮発性有機化合物等を容易に分解消臭若しくは分解消去しえること、及び該人工ゼオライト粉体を製紙原料に配合のうえ抄紙して人工ゼオライト紙となし、若しくは該人工ゼオライト紙をライナー材若しくはライナー材及び中しん材として人工ゼオライトダンボールとなしたうえ基材として用いて立体的に組立可能な造形体となすことにより、浄化機能とともに装飾性や特異の美感を有するＰＯＰ広告具や組立玩具が提供しえることを究明し本発明に至った。
【発明が解決しようとする課題】
【０００５】  本発明は使用が安全で優れた色彩感と特異な美感を保持し、而も載置陳列される近傍の空気を浄化することの可能な、浄化機能を有する組立立体造形体を提供することにある。
【課題を解決するための手段】
【０００６】  上述の課題を解決するために本発明が用いた技術的手段は、立体的に組立てをなす造形体を形成する素材として、使用安全性が極めて高く陳列される近傍の臭気や揮発性有機化合物が混在する汚染空気を浄化するために、該汚染空気を積極的に吸着せしむるうえからその平均粒径が５０μｍ以下の接触表面積率が極めて大きな微粒状で、且長期に亘って効率良く吸着性を保持せしむるうえからその吸着容量所謂比表面積が少なくとも８０ｍ２／ｇ以上の膨大な吸着容量を有し、而も吸着した臭気や揮発性有機化合物等を分解消臭或いは分解消去せしめて吸着飽和を阻止し長期に亘って浄化作用を発揮させるうえからは、強い塩基置換性と且触媒作用が要請されるため、その塩基置換容量（ｍｅｑ／１００ｇ）が少なくとも２５０ｍｇ以上の人工ゼオライト粉体が用いられる。
【０００７】  そしてかかる人工ゼオライト粉体の吸着性を阻害させることなく、且安全性を保持し加工性と着色や模様等の意匠を容易に付与せしめて装飾性も高められる基材となすうえから、該人工ゼオライト粉体をパルプや綿若しくは麻等からなる製紙原料に対して２０乃至７０％重量割合で配合のうえ抄紙して人工ゼオライト紙として用いるか、若しくはこの人工ゼオライト紙をライナー材として或いはライナー材及び中しん材に用いて人工ゼオライトダンボールとなしたものが用いられる。
【０００８】  かくしてなる基材により所要の造形体に立体的に組立形成される造形体本体、及びこの立体的に組立形成された造形体本体を載置固定させて陳列させるための固定載置板体とが形成されるものであるが、本発明はＰＯＰ広告具や幼児用組立玩具等多様な用途に使用され、更には載置陳列に際して多種多彩な色感を創出させ或いは立体組合せによる特異な美感を創出せしめ且載置陳列場所近傍の汚染空気の浄化を図るうえから、立体的に組立形成される造形体内に汚染空気を十分に通気させる必要上、左右対称的な展開形状で且該造形体の組立係止のために左右対称的側縁のそれぞれ対向する位置の一方側縁には係止嵌着片が延出形成され、而も他方側縁には係止嵌着溝が形成されたうえ打抜加工され、更に固定載置板体が所要の面積及び形状で且組立形成される造形体の下端が嵌合できるよう、該造形体の下端の形状、長さ及び幅の嵌合固定溝が打抜加工されてなる構成からなり、而も基材が適宜の色相に着色され若しくは基材の一側面に模様若しくは文字が印刷されてなる構成に存する。
【作用】
【０００９】  本発明は上述の如き構成からなるもので、基材が平均粒径５０μｍ以下で比表面積が少なくとも８０ｍ２／ｇ以上及び塩基置換容量（ｍｅｑ／１００ｇ）が２５０ｍｇ以上の人工ゼオライト粉体を用い、該人工ゼオライト粉体がパルプや綿若しくは麻からなる製紙原料に２０乃至７０％重量割合で配合され抄紙された人工ゼオライト紙、若しくは該人工ゼオライト紙をライナー材若しくはライナー材及び中しん材に使用した人工ゼオライトダンボールからなるため、人工ゼオライト粉体の吸着性や塩基置換性が損われることなく発揮されるため、本発明に接触通気される汚染空気中の臭気や揮発性有機化合物等が積極的且効率的に吸着されるとともに、吸着された臭気や揮発性有機化合物が触媒作用と強い塩基置換性により分解消臭若しくは分解消去され、吸着飽和が阻止されて長期に浄化作用が発揮され、特に基材に人工ゼオライトダンボールが使用された場合には、ライナー及び中しんの空隙内にも汚染空気が通気されるため浄化作用が一段と発揮される。
【００１０】  そしてかかる基材には立体的に組立てがなされる造形体の展開形状が左右対称的に且該造形体が組立てられた場合に組立係止されるよう、対称的側縁のそれぞれ対向する位置の一方側縁には係止嵌着片が延出形成され、且他方側縁には係止嵌着溝が形成されてなるから、立体的に組立てがなされた場合に該係止嵌着片を係止嵌着溝内に嵌着させるのみで立体的に組立てられた造形体が強固に係止され保形される。
加えて本発明では造形体本体とともに打抜加工される固定載置板体が所要の形状及び面積で且立体的に組立てられた造形体の下端が嵌合しえるよう、該造形体下端の形状、長さ及び幅の嵌合固定溝が形成されてなるから、組立てられ係止保形された造形体が固定載置板体上に嵌合載置固定され、安定した陳列がなされることとなる。
而も基材には微粒状で且吸着容量所謂比表面積の大きな人工ゼオライト粉体が２０乃至７０％重量割合で配合抄紙された人工ゼオライト紙が用いられてなるため、多種多様な印刷を施してもインキが滲まず鮮明な印刷が可能なため、装飾性や美感が強く発揮され且文字や記号等も明確に看取される。
【実施例】
【００１１】  以下に本発明実施例を図とともに詳細に説明すれば、図１は人工ゼオライトダンボールからなる基材１の説明図であって、該基材１は本発明における立体組立造形体の使用安全性と多種多彩な色感による装飾性並びに立体組立てによる特異な美感を創出させ、更にはこの立体組合せで形成され陳列される造形体近傍の臭気や揮発性有機物の混在する空気の浄化を図るうえから、基材１として人工ゼオライト紙１Ａ若しくは該人工ゼオライト紙を用いた人工ゼオライトダンボール１Ｂが用いられる。【００１２】  即ち図１は人工ゼオライトダンボール１Ｂによる基材１の説明図であって、該人工ゼオライトダンボール１Ｂは載置陳列される造形体３Ａ近傍の汚染空気中の臭気や揮発性有機化合物を吸着のうえ分解消臭若しくは分解消去して浄化を図ることはもとより、多種多彩な模様や文字等の美的装飾性を発揮させるための鮮明な印刷性を保持させること及び安全な使用性並びに使用後の廃棄を容易ならしめるため、安全な組成成分で且化学的に安定した素材として人工ゼオライト粉体２が用いられる。【００１３】  そしてこの人工ゼオライト粉体２は、通気接触する汚染空気中の臭気や揮発性有機化合物等と大きな接触表面積率を以って接触させることが積極的な吸着を図るうえで有利なため、その平均粒径としては最大でも５０μｍ以下望ましくは１乃至３０μｍ程度の微粒状のものが選択され、且臭気や揮発性有機化合物を効率的に吸着させるうえからはその吸着容量が大きなもの所謂比表面積の大きなものが望まれるため、その比表面積においては少なくとも８０ｍ２／ｇ以上好ましくは１２０乃至１６０ｍ２／ｇ以上のものが選択される。【００１４】  加えて該人工ゼオライト粉体２には、積極的且効率的に吸着した臭気や揮発性有機化合物を、その本質的に保持する触媒作用と且強い塩基置換性とにより分解消臭若しくは分解消去せしめて吸着飽和を阻止し長期に亘って浄化機能を発揮させるため、その塩基置換容量（ｍｅｑ／１００ｇ）が少なくとも２５０ｍｇ、好ましくは２８０乃至３５０ｍｇ以上のものが選択使用される。【００１５】  かくしてなる人工ゼオライト粉体２の機能を、所要の形状で立体的に組立形成でき且この立体的に組立られる造形体３において有効に発揮させるとともに、該立体的に組立形成される造形体３Ａの展開形状で且容易に剥除しえるよう打抜加工がなしえる加工性、及び安全で廃棄も容易になさしめるため人工ゼオライト紙１Ａとなして用いるもので、これがためにはパルプや綿若しくは麻からなる製紙原料２Ａに対して該人工ゼオライト粉体２を少なくとも２０％重量割合から最大７０％重量割合で配合のうえ所要の坪量を以って抄紙することにより、人工ゼオライト紙１Ａが形成される。
かかる場合において、人工ゼオライト粉体２の配合割合が２０％重量割合以下では、形成される人工ゼオライト紙１Ａの十分な浄化機能が発揮されぬ問題が生じ、他方人工ゼオライト粉体２の配合割合が７０％重量割合以上となると、著しく脆弱化し立体組立時の破損や損傷の発生が多発する危険があることによる。【００１６】  更に人工ゼオライト粉体２が配合され抄紙されて形成される人工ゼオライト紙１Ａは、該人工ゼオライト紙１Ａを直接基材として使用する場合には、造形体３Ａの立体的組立てに際してその組立作業上や組立形成後の保形性の維持のために適度の硬さ及び厚さも要請されることから、その坪量においては略４００乃至８００ｇ／ｍ２、厚さでは略１乃至２ｍｍ以上のものが望ましい。【００１７】  反面該人工ゼオライト紙１Ａをライナー材１０Ｂ若しくはライナー材１０Ｂ及び中しん材１１Ｂに用いて人工ゼオライトダンボール１Ｂとなしたるうえ基材１として用いる場合には、ダンボールの特質上比較的坪量の少ない人工ゼオライト紙１Ａの使用でも軽量、肉薄で構造強度も向上することから、該人工ゼオライトダンボール１Ｂの形成に利用する人工ゼオライト紙１Ａの坪量としては、略１００乃至３００ｇ／ｍ２程度のものが好適である。当然にダンボールはライナー材１０Ｂ及び中しん材１１Ｂを多層に積層させたものも使用目的により採用されるが、本発明の基材１としてライナー材１０Ｂと中しん材１１Ｂの単層構造のもので十分に使用できる。【００１８】  図２は人工ゼオライトダンボール１Ｂからなる基材１に造形体３が容易に剥除しえるよう、且所望の造形体３Ａに立体的に組立形成できるよう打抜加工が施された造形体本体３の展開見取図であって、本発明はＰＯＰ広告具や幼児用玩具等その使用目的に合せて多種多彩に亘る意匠や美感を創出させ、且載置陳列される造形体３Ａ近傍の汚染空気を浄化させるものであるから、組立形成される造形体３Ａの左右側面が同一の意匠や美感で形成されるよう左右対称的な展開形状で、且立体的に組立てられた造形体３Ａの組立係止を図るうえから、左右対称的側縁３０Ａ、３０Ａのそれぞれ対向する位置の一方側縁３０Ａには係止嵌着片３１Ａが延出形成されてなり、且他方側縁３０Ａには該係止嵌着片３１Ａが嵌入されることにより係止がなされるよう、係止嵌着溝３１Ｂが形成されて打抜加工が施されている。【００１９】  そして該造形体本体３に展開形状で且容易に剥除しえるよう打抜加工されるモチーフとしては、その使用目的により動物、花、怪獣、空想動物、人形、自然景観等が用いられるものであるため具体的展開形状はそれぞれに異なるものであり、当然にそれぞれが立体的に組立てられる場合の折り曲げ線３２や切込線３３の展開形状もそれぞれに異なるが、本発明においては立体的に組立形成された造形体３Ａに十分に汚染空気の通気路３４が構成されることが望まれるため、左右対称的側縁３０Ａ、３０Ａを挟む中央位置には、組立形成される造形体３Ａの背部を形成する十分な幅を以って背部形成シロ３５が加味された展開形状で打抜加工されることにある。【００２０】  図３は造形体本体３に展開形状に打抜加工されてなる造形体３Ａの組立見取図であって、該造形体３Ａは象をモチーフとした展開形状��打抜加工されたもので、かかる造形体３Ａの折り曲げ線３２に沿って折り曲げ且切込線３３を折合させることにより、左顔部係止嵌着片３５Ａは左前足部係止嵌着溝３５Ｂに、右顔部係止嵌着片３６Ａは右前足部係止嵌着溝３６Ｂに、且左首下部係止嵌着片３７Ａは右首下係止嵌着溝３７Ｂに、更には左後足部係止嵌着片３８Ａは左腹部係止嵌着溝３８Ｂと、右後足部係止嵌着片３９Ａは右腹部係止嵌着溝３９Ｂに、且右尻部係止嵌着片４０Ａは左尻部係止嵌着溝４０Ｂと接合するため、それぞれの係止嵌着片を係止嵌着溝内に嵌入させることにより、立体的に組立てられた造形体３Ａの組立係止がなされる。【００２１】  図４は載置固定板体４の説明図であって、本発明はＰＯＰ広告具に用いて載置陳列させ広告効果を発揮させる使用途や、幼児等が立体的に造形体３Ａを組立形成する達成感と、且机や書棚等に装飾品として陳列する幼児用組立玩具として用いられるため、該立体的に組立形成される造形体３Ａを安定した状態で載置陳列させることが望まれる。
そこで基材１に所要の造形体３Ａが展開形状で打抜加工された造形体本体３の打抜加工に加えて、更に基材１の余白部分に図５に示すように所要の面積及び形状で且立体的に組立形成された造形体３Ａの下端３Ｂが嵌合され載置固定されるよう、該造形体３Ａの下端３Ｂの形状、長さ及び幅の嵌合固定溝４Ａが形成されたうえ剥除しえるよう打抜加工されてなるものである。【００２２】  かかる場合において載置固定板体４の面積や形状には特段の制約はなく、その面積は嵌合固定される造形体３Ａが容易に転倒しない程度の面積であれば十分であり、且その形状も一般的には円形や楕円形或いは方形状のものが用いられる。
加えて造形体３Ａが自然景観等をモチーフとした場合等では立体的に組立形成される造形体３Ａの下端３Ｂも十分に長く形成されるため、造形体３Ａのみでも載置安定性が極めて良く、この場合には載置固定板体４の使用を省略することも可能となる。【００２３】  更に図６に示すように造形体３Ａのモチーフとして怪獣を用いたり、仮想動物や人形等造形体３Ａの外表面に多数のエラやヒレ等の多数の突起片３Ｃを有する造形体３Ａにおいては、左右対称的側縁３０Ａ、３０Ａを立体的に組合せた場合における対称的位置に突起片挟入溝３Ｄを形成させるとともに、基材１の余白部分に突起意匠部３Ｅとその下端に突起片挟入溝３Ｄ内に挟入し固定させる挟入部３Ｆとを有する突起片３Ｃを剥除しえるよう打抜加工させることが提案される。
【発明の効果】
【００２４】  本発明は以上述べたように、使用する基材が平均粒径５０μｍ以下で比表面積が８０ｍ２／ｇ以上並びに塩基置換容量（ｍｅｑ／１００ｇ）が２５０ｍｇ以上の人工ゼオライト粉体を、パルプや綿若しくは麻からなる製紙原料に２０乃至７０％重量割合で配合のうえ抄紙した人工ゼオライト紙、若しくは該人工ゼオライト紙をライナー材若しくはライナー材及び中しん材に用いた人工ゼオライトダンボールからなり、この基材に所要のモチーフの造形体を展開形状で且該造形体が組立てられた場合に組立係止するために、その左右対称的側縁のそれぞれ対向する位置の一方側縁には係止嵌着片が延出形成され、而も他方側縁には係止嵌着溝が形成され、更には対称的側縁を挟む中央位置には十分な幅で背部形成シロが設けられた造形体本体が剥除しえるよう打抜加工されてなるため、該造形体本体に形成された折り曲げ線に沿って折り曲げ且切込線に沿って相互を折合させることにより、所望の造形体が簡便に組立形成されるとともに、係止嵌着片と係止嵌着溝が接合するため、係止嵌着片を係止嵌着溝内に嵌入させるのみで造形体が強固に組立係止されて十分な保形力を保持する。
【００２５】  そして組立形成された造形体には十分な通風路が形成されるよう組立てがなされるため、該造形体が載置陳列される近傍の臭気や揮発性有機化合物が混在する汚染空気が容易に接触通風されて、該臭気や揮発性有機化合物が積極的且効率的に吸着されるとともに、触媒作用と且強い塩基置換性により分解消臭或いは分解消去されて浄化されるため、本発明をＰＯＰ広告具として店舗内の商品陳列に付帯して載置使用した場合には、載置近傍の汚染空気が浄化されて香りやフレーバーを特徴とする商品においては十分に該香りやフレーバーが発揮され、更には衣服や着物等の商品への汚染空気中の臭気や揮発性有機化合物の付着や吸着も著しく抑制される。加えて幼児用玩具の如く幼児部屋や子供部屋或いは自動車車内等狭い空間で取扱われる場合にも、該空間内の汚染空気が浄化されて快適で安全な環境が創出される。
而も本発明を形成する基材は微粒の人工ゼオライト粉体が配合され抄紙されたものであるから、多種多彩で且鮮明な印刷がなされるため多彩な色感と立体的組立に伴う特異な美感とが相俟って高い装飾性と注目性も発揮される。
更に本発明は使用基材が人工ゼオライト粉体と製紙原料とからなるため極めて安全であり、且使用後の焼却や埋立に際しても無公害に処理できる等多くの特長を具備した浄化機能を有する組立立体造形体である。
【図面の簡単な説明】
【図１】人工ゼオライトダンボールによる基材の説明図である。
【図２】造形体本体の展開見取図である。
【図３】本発明造形体の組立見取図である。
【図４】載置固定板体の説明図である。
【図５】造形体本体及び載置固定板体の展開見取図である。
【図６】突起片と突起片挟入溝の説明図である。
【符号の説明】
１    基材
１Ａ  人工ゼオライト紙
１Ｂ  人工ゼオライトダンボール
１０Ｂ  ライナー材
１１Ｂ  中しん材
２    人工ゼオライト粉体
２Ａ  製紙原料
３    造形体本体
３Ａ  造形体
３Ｂ  造形体の下端
３Ｃ  突起片
３Ｄ  突起片挟入溝
３Ｅ  突起意匠部
３Ｆ  挟入部
３０Ａ  左右対称的側縁
３１Ａ  係止嵌着片
３１Ｂ  係止嵌着溝
３２    折り曲げ線
３３    切込み線
３４    通気路
３５    背部形成シロ
３５Ａ  左顔部係止嵌着片
３５Ｂ  左前足部係止嵌着溝
３６Ａ  右顔部係止嵌着片
３６Ｂ  右前足部係止嵌着溝
３７Ｂ  左首下部係止嵌着片
３７Ｂ  右首下部係止嵌着溝
３８Ａ  左後足部係止嵌着片
３８Ｂ  左腹部係止嵌着溝
３９Ａ  右後足部係止嵌着片
３９Ｂ  右腹部係止嵌着溝
４０Ａ  右尻部係止嵌着片
４０Ｂ  左尻部係止嵌着溝
４    載置固定板体
４Ａ  嵌合固定溝
【図１】
2005103217.tif 000003
【図２】
2005103217.tif 000004
【図３】
2005103217.tif 000005
【図４】
2005103217.tif 000006
【図５】
2005103217.tif 000007
【図６】
2005103217.tif 000008